(57)【要約】表示制御によりユーザが表示を見やすくすることのできる端末装置を提供する。  制御信号で表示制御可能な表示器と、この表示器に表示信号を出力する端末本体とを備えた端末装置において、この端末装置の使用状態を判別する判別手段と、この判別手段で判別した端末装置の使用状態が特定の使用状態であると判断したときには前記制御信号の周波数を所定の第１の周波数に制御し、前記特定の使用状態以外と判断したときには前記制御信号の周波数を前記第１の周波数より周波数の低い第２の周波数に制御する制御手段と、を備える。
2009093508.tif 000002
【特許請求の範囲】
【請求項１】
制御信号で表示制御可能な表示器と、この表示器に表示信号を出力する端末本体と、を備えた端末装置であって、
この端末装置の使用状態を判別する判別手段と、
この判別手段で判別した端末装置の使用状態が特定の使用状態であると判断したときには前記制御信号の周波数を所定の第１の周波数に制御し、前記特定の使用状態以外と判断したときには前記制御信号の周波数を前記第１の周波数より周波数の低い第２の周波数に制御する制御手段と、
を備えることを特徴とする端末装置。
【請求項２】
前記制御信号は、ＰＷＭ制御による制御信号である
ことを特徴とする請求項１に記載の端末装置。
【請求項３】
前記判別手段は、前記端末装置の揺れを判別し、
前記制御手段は、前記判別手段で判別した揺れが所定値以上のときは特定の使用状態であると判断し、前記判別手段で判別した揺れが所定値未満のときは前記特定の使用状態以外と判断する、
ことを特徴とする請求項１又は２に記載の端末装置。
【請求項４】
前記判別手段は、加速度センサである、
ことを特徴とする請求項１乃至３の何れかに記載の端末装置。
【請求項５】
前記判別手段は、端末装置で使用されるアプリケーションプログラムの画像品質劣化の許容度合いを判別し、
前記制御手段は、前記判別手段で判別した許容度合いが所定値より小さいときは端末の使用状態が特定の使用状態であると判断し、前記判別手段で判別した許容度合いが所定値以上のときは前記特定の使用状態以外と判断する、
ことを特徴とする請求項１又は２に記載の端末装置。
【請求項６】
前記端末装置は、無線通信機能を有する携帯可能な携帯通信端末である、
ことを特徴とする請求項１乃至５の何れかに記載の端末装置。
【請求項７】
制御信号で表示制御可能な表示器と、この表示器に表示信号を出力する端末本体と、を備えた端末装置における表示器の制御方法において、
前記端末装置の使用状態を判別する状態判別ステップと、
この状態判別ステップで判別した前記端末装置の使用状態が特定の使用状態であるか、特定の使用状態以外かを判断する判断ステップと、
この判断ステップで特定の使用状態であると判断したときは、前記表示器の制御信号の制御周波数を所定の第１の周波数に制御し、前記判断ステップで前記特定の使用状態以外と判断したときは、前記表示器の制御信号の制御周波数を前記第１の周波数より低い第２の周波数に制御する制御ステップと、
を備えることを特徴とする端末装置における表示器の制御方法。
【請求項８】
前記制御信号は、ＰＷＭ制御による制御信号である
ことを特徴とする請求項７に記載の端末装置における表示器の制御方法。
【請求項９】
前記状態判別ステップを、前記端末装置の揺れを判別する状態判別ステップとし、
前記制御ステップを、前記状態判別ステップで判別した揺れが所定値以上のときは特定の使用状態であると判断し、前記状態判別ステップで判別した揺れが所定値未満のときは特定の使用状態以外と判断する制御ステップとした、
ことを特徴とする請求項７又は８に記載の端末装置における表示器の制御方法。
【請求項１０】
前記状態判別ステップで使用する判別手段を、加速度センサとした、
ことを特徴とする請求項７乃至９の何れかに記載の端末装置における表示器の制御方法。
【請求項１１】
前記状態判別ステップを、端末装置で使用されるアプリケーションプログラムの画像品質劣化の許容度合いを判別する状態判別ステップとし、
前記制御ステップを、前記状態判別ステップで判別した許容度合いが所定値より小さいときは端末装置の使用状態が特定の使用状態であると判断し、前記状態判別ステップで判別した許容度合いが所定値以上のときは前記特定の使用状態以外と判断する制御ステップとした、
ことを特徴とする請求項７又は８に記載の端末装置における表示器の制御方法。
【請求項１２】
前記端末装置を、無線通信機能を有する携帯可能な携帯通信端末とした、
ことを特徴とする請求項７乃至１１の何れかに記載の端末装置における表示器の制御方法。
【請求項１３】
制御信号で表示制御可能な表示器と、この表示器に表示信号を出力する端末本体と、を備えた端末装置における表示器用制御プログラムを記録した記録媒体において、
前記端末装置の使用状態を判別する状態判別機能と、
この状態判別機能で判別した前記端末装置の使用状態が特定の使用状態であるか、特定の使用状態以外かを判断する判断機能と、
この判断機能で特定の使用状態であると判断したときは、前記表示器の制御信号の制御周波数を所定の第１の周波数に制御し、前記判断機能で前記特定の使用状態以外と判断したときは、前記表示器の制御信号の制御周波数を前記第１の周波数より低い第２の周波数に制御する制御機能と、
をコンピュータに実現させるための表示器用制御プログラムを記録した記録媒体。
【請求項１４】
前記制御信号は、ＰＷＭ制御による制御信号である
ことを特徴とする請求項１３に記載の表示器用制御プログラムを記録した記録媒体。
【請求項１５】
前記状態判別機能を、前記端末装置の揺れを判別する状態判別機能とし、
前記制御機能を、前記状態判別機能で判別した揺れが所定値以上のときは特定の使用状態であると判断し、前記状態判別機能で判別した揺れが所定値未満のときは特定の使用状態以外と判断する制御機能とした、
ことを特徴とする請求項１３又は１４に記載の表示器用制御プログラムを記録した記録媒体。
【請求項１６】
前記状態判別機能で使用する判別手段を、加速度センサとした、
ことを特徴とする請求項１３乃至１５の何れかに記載の表示器用制御プログラムを記録した記録媒体。
【請求項１７】
前記状態判別機能を、端末装置で使用されるアプリケーションプログラムの画像品質劣化の許容度合いを判別する状態判別機能とし、
前記制御機能を、前記状態判別機能で判別した許容度合いが所定値より小さいときは端末装置の使用状態が特定の使用状態であると判断し、
前記状態判別機能で判別した許容度合いが所定値以上のときは前記特定の使用状態以外と判断する制御機能とした、
ことを特徴とする請求項１３又は１４に記載の表示器用制御プログラムを記録した記録媒体。
【請求項１８】
前記端末装置を、無線通信機能を有する携帯可能な携帯通信端末とした、
ことを特徴とする請求項１３乃至１７の何れかに記載の表示器用制御プログラムを記録した記録媒体。
【発明の詳細な説明】
【技術分野】
【０００１】
この発明は、端末本体と表示器とを備えた端末装置、端末装置における表示器の制御方法、および表示器用制御プログラムを記録した記録媒体に関する。
【背景技術】
【０００２】
パソコン（パーソナルコンピュータ）や携帯通信端末等の表示器の表示制御において、表示をより見やすくするための技術はいろいろなものが提案されている。その例として、次に挙げるものがある。
例えば、特開２００６−２６７４５６号公報（特許文献１）には、ユーザの画面を見る角度に応じて輝度や色合いを制御する携帯通信端末が記載されている。
また、特開２００７−１４０４３６号公報（特許文献２）には、ユーザが長時間ゲームを行うことを想定し、ユーザの目の疲労を少なくするための技術が開示されている。
また、特開２００３−２５５９１３号公報（特許文献３）には、表示装置の照明に対し、デューティ比を制御することによって、表示画面の輝度を制御する技術が開示されている。
更に、特開２００７−２４１２８６号公報（特許文献４）には、画面上のフリッカを防止する目的で、表示器制御用のＰＷＭ（Ｐｕｌｓｅ  Ｗｉｄｔｈ  Ｍｏｄｕｌａｔｉｏｎ）周波数を高く制御する技術が開示されている。
【特許文献１】特開２００６−２６７４５６号公報
【特許文献２】特開２００７−１４０４３６号公報
【特許文献３】特開２００３−２５５９１３号公報
【特許文献４】特開２００７−２４１２８６号公報
【発明の開示】
【発明が解決しようとする課題】
【０００３】
上記特許文献１に記載の携帯通信端末は、その携帯通信端末の使用時の傾きによっては、輝度を低く制御する。しかし、テレビのスポーツ番組を視聴しているときや、動きの激しいゲームを利用しているときは、輝度が低く制御されると見づらくなる。
また、特許文献２に開示された技術は、ゲームモードでは、若干低めの輝度に制御するため、目の疲労を軽減する効果を期待できる。しかし、動きの激しいゲームを行っている場合は、低めの輝度では、動きを認識しづらくなり、見づらくなる恐れがある。特にデューティ比で輝度を低下させる場合は、その表示の、１サイクルあたりのオフ時間が長くなり、見る角度によっては、残像が見えることもある。このため、動きの激しいゲーム等では、特に見づらくなる恐れがある。
また、特許文献３に開示された技術は、デューティ比の制御で表示画面の輝度を制御し、表示画面の横縞を軽減できる。しかし、この技術は、ユーザの表示画面に対する角度等の状態や、表示画面を備えた表示装置の使用状態によっては、見づらくなる恐れがある。この特許文献３に記載の技術は、この場合におけるユーザの見づらさを解消するものではない。
更に、特許文献４に記載の技術では、高いＰＷＭ周波数で制御するのは、液晶表示器のバックライトのライティングであり、この制御で、フリッカを抑えることができる。しかし、この特許文献４に記載の技術は、比較的動きの激しい動画を表示するときに生じる残像を、防止するものではない。また、この特許文献４には、残像を防止して見やすくすることや、携帯中に画面を閲覧しているように、画面に揺れがあるときにも見やすくすることについては、記載も、示唆も全くない。
本発明の目的は、上記課題を解決し、表示制御によりユーザが表示を見やすくすることのできる端末装置、端末装置における表示器の制御方法、および表示器用制御プログラムを記録した記録媒体を提供することにある。
【課題を解決するための手段】
【０００４】
本発明は上記課題を解決するためのものであって、本発明の端末装置は、
制御信号で表示制御可能な表示器と、この表示器に表示信号を出力する端末本体と、を備えた端末装置において、
この端末装置の使用状態を判別する判別手段と、この判別手段で判別した端末装置の使用状態が特定の使用状態であると判断したときには前記制御信号の周波数を所定の第１の周波数に制御し、前記特定の使用状態以外と判断したときには前記制御信号の周波数を前記第１の周波数より周波数の低い第２の周波数に制御する制御手段と、を備える。
また、本発明の端末装置における表示器の制御方法は、
制御信号で表示制御可能な表示器と、この表示器に表示信号を出力する端末本体と、を備えた端末装置における表示器の制御方法において、
前記端末装置の使用状態を判別する状態判別ステップと、この状態判別ステップで判別した前記端末装置の使用状態が特定の使用状態であるか、特定の使用状態以外かを判断する判断ステップと、この判断ステップで特定の使用状態であると判断したときは、前記表示器の制御信号の制御周波数を所定の第１の周波数に制御し、前記判断ステップで特定の使用状態以外と判断したときは、前記表示器の制御信号の制御周波数を前記第１の周波数より低い第２の周波数に制御する制御ステップと、を備える。
更に、本発明の表示器用制御プログラムを記録した記録媒体は、
制御信号で表示制御可能な表示器と、この表示器に表示信号を出力する端末本体と、を備えた端末装置における表示器用制御プログラムを記録した記録媒体において、
前記端末装置の使用状態を判別する状態判別機能と、
この状態判別機能で判別した前記端末装置の使用状態が特定の使用状態であるか、特定の使用状態以外かを判断する判断機能と、
この判断機能で特定の使用状態であると判断したときは、前記表示器の制御信号の制御周波数を所定の第１の周波数に制御し、前記判断機能で前記特定の使用状態以外と判断したときは、前記表示器の制御信号の制御周波数を前記第１の周波数より低い第２の周波数に制御する制御機能と、をコンピュータに実現させるプログラムを記録した。
【発明の効果】
【０００５】
このように構成された本発明によれば、次に記載するような効果を奏する。
この発明では、端末の使用状態が特定の使用状態であるときには、制御周波数を、第２の周波数より高い第１の周波数に制御する。これにより、この発明によれば、高い周波数の制御信号で制御して、表示器での残像を抑えることができる。このため、移動中に使用されて揺れが大きいような場合でも、また、動きの激しいゲームを使用している場合でも、ユーザにとって見やすい表示とすることができる。
【図面の簡単な説明】
【０００６】
【図１】図１は、本発明の第１実施形態を示す端末装置の概略構成図である。
【図２】図２は、同第１実施形態の端末装置の動作を示すフローチャートである。
【図３】図３は、本発明の第２実施形態を示す端末装置の概略ブロック図である。
【図４】図４は、同第２実施形態の端末装置を示す外観図である。
【図５】図５は、同第２実施形態の端末装置の動作を示すフローチャートである。
【図６】図６は、本発明の第３実施形態を示す端末装置の概略ブロック図である。
【図７】図７は、同第３実施形態の端末装置を示す外観図である。
【図８】図８は、同第３実施形態の端末装置の動作を示すフローチャートである。
【符号の説明】
【０００７】
１０１  端末装置
１０２  表示器
１０３  端末本体
１０４  判別手段
１０５  制御手段
３０１  端末装置
３０２  表示器
３０３  端末本体
３０４  キー操作部
３０５  加速度センサ
３０６  ＣＰＵ
３０７  ＲＡＭ
３０８  ＲＯＭ
３０９  ＰＷＭ制御部
４０１  受話部
４０２  送話部
６０１  端末装置
６０２  ＣＰＵ
７０１  マウス
７０２  回線
【発明を実施するための最良の形態】
【０００８】
本発明の第１実施形態について、図１、図２に基づき説明する。
図１は、第１実施形態を示す端末装置の概略構成図である。また、図２は、同第１実施形態の端末装置の動作を示すフローチャートである。
端末装置１０１は、制御信号で表示制御可能な表示器１０２と、この表示器１０２に表示信号を出力する端末本体１０３とを備えている。端末本体１０３は、端末装置の使用状態を判別する判別手段１０４と、この判別手段１０４で判別した端末装置１０１の使用状態に応じて表示器１０２への制御信号の周波数を制御する制御手段１０５とを備えている。
この制御手段１０５は、判別手段１０４で判別した端末装置１０１の使用状態が特定の使用状態と判断したときには、表示器１０２への制御信号を所定の第１の周波数に制御し、特定の使用状態以外と判断したときには、制御信号を前述の第１の周波数より周波数の低い第２の周波数に制御する。この第２の周波数は、制御特性や発熱特性、また電力の消費特性等を総合的に判断して設定した、端末装置１０１に最適、或いは、ほぼ最適な制御周波数である。
端末装置１０１の使用状態が特定の使用状態と判断される使用状態は、例えば、携帯可能な端末装置１０１であれば、移動しながらの使用中で揺れが所定値より大きい状態がある。また、端末装置１０１で、動きの激しいアプリケーションプログラムを使用している状態、動きの激しいスポーツ番組又はアクション映画を視聴している状態等が挙げられる。前述の判別手段１０４は、端末装置１０１がこれらの状態であるか否かを判別する。そして、判別手段１０４の判別結果の情報を受け、制御手段１０５が表示器１０２への制御信号を第１の周波数又は第２の周波数に制御する。
尚、端末装置１０１の具体例としては、パソコン（パーソナルコンピュータ）や、携帯通信端末（携帯電話、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ、Ｐｅｒｓｏｎａｌ  Ｄａｔａ  Ａｓｓｉｓｔａｎｃｅ：個人向け携帯型情報通信機器））、ゲーム機等がある。
このように構成された端末装置１０１の動作を、図２のフローチャートに沿って説明する。
この端末装置１０１では、判別手段１０４が、端末装置１０１の使用状態を判別する（ステップ２０１、以下、「ステップ」を「Ｓ」と記載する）。制御手段１０５は、判別手段１０４からの判別結果を受け取り、端末装置１０１の状態が特定の使用状態か、否か（特定の使用状態以外か）を判断する（Ｓ２０２）。
制御手段１０５は、端末装置１０１が特定の使用状態であると判断した場合（Ｓ２０２のＹＥＳの場合）、表示制御用の制御信号を第１の周波数に制御する（Ｓ２０３）。また、制御手段１０５は、端末装置１０１が特定の使用状態以外（特定の使用状態ではない）と判断した場合（Ｓ２０２のＮＯの場合）、前述の第１の周波数より低い周波数の第２の周波数に制御する（Ｓ２０４）。更に、制御手段１０５が第１の周波数又は第２の周波数に制御した後は、表示制御が終了であるか、否かを判別する（Ｓ２０５）。このＳ２０５の判別で、終了ではないと判別された場合（Ｓ２０５のＮＯの場合）、再び制御がＳ２０１に戻る。
このように動作する端末装置１０１によれば、判別手段１０４により端末装置１０１の使用状態が判別される。そして、例えば移動中に使用されて揺れが大きいような場合は、制御手段１０５が、特定の使用状態であると判断し、制御周波数を第１の周波数に制御する。このため、例えば、移動中に使用されて揺れが大きいような場合であっても、また、動きの激しいゲームを使用していても、ユーザにとって見やすい表示とすることができる。
この周波数制御は、前述の第２の周波数を、通常使用する標準の制御周波数に設定し、前述の第１周波数を、この標準の制御周波数より周波数の高い周波数に設定している。前述のように標準の制御周波数（第２の周波数）は、制御特性や発熱特性、また電力の消費特性等を総合的に判断して設定した、端末装置１０１に最適、或いは、ほぼ最適な制御周波数に設定されている。このため、制御周波数を、常時、或いは長時間高い周波数（第１の周波数）に制御するのは望ましくない。
この周波数制御は、上述のことを考慮して、例えば、端末装置１０１の揺れが所定値以上の場合だけ、特別に高い周波数（第１の周波数）に制御する。これにより、高い周波数（第１の周波数）に制御したときの悪影響を極力抑えつつ、ユーザにとって見やすい制御とすることができる。
次に、第２実施形態の端末装置について、図３〜図５に基づき説明する。
図３は第２実施形態を示す端末装置の概略ブロック図である。図４は同第２実施形態の端末装置を示す外観図である。図５は同第２実施形態の端末装置の動作を示すフローチャートである。
図３に示す端末装置３０１は、携帯電話と呼ばれる携帯通信端末の例である。このため、図示は省くが、無線通信機能を実現するための無線通信部と、通話機能を実現するための通話部とを備えている。この端末装置３０１は、ＰＷＭ制御で輝度を制御可能な表示器３０２と、この表示器３０２に表示信号や制御信号を出力する端末本体３０３とを備えている。
端末本体３０３は、キー操作部３０４と、加速度センサ３０５と、ＣＰＵ（Ｃｅｎｔｒａｌ  Ｐｒｏｃｅｓｓｉｎｇ  Ｕｎｉｔ）３０６と、ＲＡＭ（Ｒａｎｄｏｍ  Ａｃｃｅｓｓ  Ｍｅｍｏｒｙ）３０７と、ＲＯＭ（Ｒｅａｄ  Ｏｎｌｙ  Ｍｅｍｏｒｙ）３０８と、ＰＷＭ制御部３０９とを備えている。キー操作部３０４は、入力装置として機能する。加速度センサ３０５は、端末装置３０１の傾きや加速度を検出する。ＣＰＵ３０６は、端末装置３０１全体の制御を行う。ＲＡＭ３０７は、読み書き可能な記憶装置として機能する。ＲＯＭ３０８は、制御プログラム等を格納する読み込み専用の記憶装置である。ＰＷＭ制御部３０９は、表示器３０２の輝度をＰＷＭで制御する。
ＰＷＭ制御部３０９は輝度制御のためにオンパルスの幅を制御する制御（デューティ比制御）を行い、その制御として２通りのパルス制御周波数（第１の周波数と、この第１の周波数より周波数の低い第２の周波数）を設定している。そして、ＰＷＭ制御部３０９は、ＣＰＵ３０６からの制御信号を入力し、表示器３０２へ表示制御するための電流を制御する。
加速度センサ３０５は、端末装置３０１の使用状態を判別する判別手段として、その傾きや加速度等の揺れを検出する。そして、この加速度センサ３０５は、端末装置３０１の傾きや加速度を検出し検出結果をＣＰＵ３０６に送る。
ＣＰＵ３０６は、端末装置３０１の入力処理やプログラムの実行等を行う。そしてＣＰＵ３０６は、加速度センサ３０５から端末装置３０１の傾きや加速度の検出結果を入力し、表示制御に必要な情報をＰＷＭ制御部３０９で生成させる。生成した制御信号をＰＷＭ制御部３０９が表示器３０２に出力すると、表示器３０２は表示制御される。また、ＣＰＵ３０６は、ＲＡＭ３０７やＲＯＭ３０８やＰＷＭ制御部３０９と協働して、制御信号を制御するための制御手段としての機能を果たす。
図４に示す受話部４０１は、図３で省略した通話部の一部であり、音声通話時に他の通信端末からの音声を出力する。送話部４０２は、図３で省略した通話部の一部であり、音声通話時にこちらの音声を送るために音声を受ける。
図３で説明したキー操作部３０４は、図４に示すように、数字キーや、十字キーや、他のキー等を備えている。数字キーは、英文字および数字入力用（文字入力用）のキーである。十字キーは、カーソルを上下左右に動かしたり決定操作を行ったりするためのキーである。他のキーは、その他の機能を制御するためのキーである。
この図４に示す端末装置３０１は、携帯電話であるため、持ち運びされて使用される。このため、電車内や、歩きながら等、その端末装置３０１が揺れて、その表示器３０２に対する視線の角度が変わる。表示器３０２に対する角度によっては、残像が目立ち、表示器３０２の表示画面が非常に見づらい状態になることがある。
このため、表示制御を、ＰＷＭ制御の周波数で制御し、その周波数を第１の周波数に制御することで、残像が残りにくい表示としている。この場合の動作について、図５に沿って説明する。
図５に示すように、表示制御がスタートされると、加速度センサ３０５が端末装置３０１の揺れ、即ち、加速度を検出する（Ｓ５０１）。検出した加速度に関する情報を入力したＣＰＵ３０６が、加速度が所定値（閾値）以上か否かを判断する。ＣＰＵ３０６は、加速度が所定値以上であると判断すると（Ｓ５０２のＹＥＳ）、ＰＷＭ制御部３０９に制御周波数を第１の周波数にするよう制御信号を出力する。ＣＰＵ３０６からの制御信号を入力すると、ＰＷＭ制御部３０９は、表示器３０２への制御信号の周波数を第１の周波数とする（Ｓ５０３）。
ＣＰＵ３０６は、Ｓ５０２で加速度が所定値以上ではないと判断すると（Ｓ５０２のＮＯ）、ＰＷＭ制御部３０９に制御周波数を第１周の周波数より周波数の低い第２の周波数にするよう制御信号を出力する。ＣＰＵ３０６からの制御信号を入力すると、ＰＷＭ制御部３０９は、表示器３０２への制御信号の周波数を第２の周波数とする（Ｓ５０４）。
そして、ＰＷＭ制御部３０９が第１の周波数又は第２の周波数に制御した後は、ＣＰＵ３０６は表示制御が終了であるか、否かを判別する（Ｓ５０５）。Ｓ５０５の判別で、終了ではないとの判別の場合（Ｓ５０５のＮＯの場合）、再び制御がＳ５０１に戻る。
このように制御される端末装置３０１では、端末装置３０１の揺れが大きい場合、表示器３０２への制御周波数を第１の周波数に制御している。制御周波数が周波数の高い第１の周波数で制御されると、第２の周波数に制御される場合に比べて、残像の見えにくい表示とすることができる。これは、高い周波数で制御されることにより、１サイクルあたりのＯＦＦ時間の割合が同じでも、その１サイクルのＯＦＦ時間が短くなるためである。このため、端末装置３０１が揺れて、ユーザの見る角度によっては残像が見える恐れを、極力防止できる。これにより、ユーザにとって見やすい表示とすることができる。
また、この実施形態では、制御信号の制御周波数を変えているが、その制御信号のデューティ比（単位時間あたりのＯＮ時間）を変えていない。このため、表示における輝度も変わらない。これにより、消費電力を増加させるような制御を行っておらず、消費電力量増加の不都合を抑えている。
この周波数制御は、前述の第２の周波数を、標準の制御周波数に設定し、前述の第１周波数を、標準の制御周波数より高い周波数に設定している。このため、この端末装置３０１では、例えば、その端末装置３０１が持ち運ばれながら使用されて、その揺れが所定値以上の場合だけ、特別に高い周波数に制御する。このように、端末装置３０１の使用状態が、特定の使用状態と判別した場合のみ、前述の標準の制御周波数に相当する第２の周波数より高い第１の周波数で制御する。この表示制御により、必要な場合だけ制御周波数が高い周波数（第１の周波数）で制御されているので、常時高い周波数（第１の周波数）で制御されている場合に比べて無線特性の劣化を最小限に抑えることができる。また、第１実施形態の端末装置１０１と同様に、この第２実施形態の端末装置３０１でも、制御特性や発熱特性、また電力の消費特性等の悪化を極力抑えた制御とすることもできる。
尚、この第２実施形態では、加速度センサ３０５を用いた例で説明したが、端末装置３０１の揺れを検知するような他のセンサ、例えば振動センサを用いても良い。
また、端末装置３０１の具体例として、この図４に示す携帯電話の他に、ＰＨＳ端末や、ＰＤＡ（個人用携帯情報端末）や、ゲーム機等が挙げられる。
次に、第３実施形態の端末装置について、図６〜図８に基づき説明する。
図６は第３実施形態を示す端末装置の概略ブロック図である。図７は同第３実施形態の端末装置を示す外観図である。図８は同第３実施形態の端末装置の動作を示すフローチャートである。
図６に示す端末装置６０１は、パソコンと呼ばれる端末装置の例である。
この端末装置６０１において、図３に示す端末装置３０１と異なる点は、端末装置３０１の加速度センサ３０５を備えていない点と、ＣＰＵ６０２の制御が、端末装置３０１のＣＰＵ３０６と異なる点である。また、図３に示す端末装置３０１と同一の要素には、同一の符号を付けている。
このＣＰＵ６０２は、端末装置６０１全体の制御を行うものであるため、現在使われているアプリケーションプログラムが何であるかも当然把握している。そして、このＣＰＵ６０２は、その使われているアプリケーションプログラムの内容が、画像品質劣化の許容度合いが小さいか、或いは、そうでないか（大きいか）を把握している。
本実施形態では、「画像品質劣化の許容度合いが小さい」の意味を、画像品質の劣化が小さければ、許容することができる、という意味で使用している。即ち、残像が多く見られるような、画像品質の劣化が大きい場合は、ユーザは許容することができないが、残像が少ないような、画像品質の劣化が小さい場合は、ユーザは許容することができる。
このため、動きの激しいゲームは、その残像が大きいと、ゲームの実施に支障を来すため、画像品質劣化の許容度合いが小さいものに相当する。この画像品質劣化の許容度合いが小さいものの他の例として、動きの激しいスポーツ番組、アクション映画等がある。
これに対して、画像品質劣化の許容度合いが大きいもの、即ち、画像品質の劣化が大きくても許容できるものの例として、次のものが挙げられる。例えば、アドレス帳を含む電話帳の編集機能、メモ帳、スケジュール帳、激しい動きの少ないＴＶ（Ｔｅｌｅｖｉｓｉｏｎ）番組（ニュース番組やクイズ番組等）、激しい動きの少ないゲーム（パズルゲームや、カードゲーム等）である。ここで、ＴＶ番組の表示も、映画表示も、端末装置６０１にインストールされているアプリケーションプログラムにより表示可能となっている。このため、ゲームだけでなく、ＴＶ番組の表示も、映画表示も、アプリケーションプログラムが使用される。
そして、ＣＰＵ６０２が、画像品質劣化の許容度合いが小さいアプリケーションプログラムが使用されていると判断した場合、ＰＷＭ制御部３０９に信号を送信し、表示器３０２への送信信号の制御周波数を第１の周波数に制御する。画像品質劣化の許容度合いが小さいアプリケーションプログラム以外が使用されている場合は、画像品質劣化の許容度合いが大きいアプリケーションプログラムが使用されている場合であると、みなすことができる。ＣＰＵ６０２が、この場合であると判断した場合、ＰＷＭ制御部３０９に信号を送信し、表示器３０２への送信信号の制御周波数を第２の周波数に制御する。
図７に示す端末装置６０１は、キー操作部３０４以外の入力装置として、マウス７０１を備えている。また、端末装置６０１は、電話回線、ＬＡＮ（Ｌｏｃａｌ  Ａｒｅａ  Ｎｅｔｗｏｒｋ）回線等の回線７０２を備えており、他のネットワークに接続できる。
このように構成された端末装置６０１の動作について、図８に沿って説明する。
図８に示すように、表示制御がスタートされると、ＣＰＵ６０２が、端末装置６０１の使用状態を判別する（Ｓ８０１）。そして、ＣＰＵ６０２は、使用状態の判別により、画像品質劣化の許容度合いが所定値（閾値）以下か否かを判断する（Ｓ８０２）。
許容度合いが小さい場合、即ち、動きの激しいゲームを実行している等の場合、ＣＰＵ６０２は、許容度合いが所定値以下であると判断する（Ｓ８０２のＹＥＳ）。そして、ＣＰＵ６０２は、ＰＷＭ制御部３０９に制御周波数を第１の周波数にするよう制御信号を出力する。ＣＰＵ６０２からの制御信号を入力すると、ＰＷＭ制御部３０９は、表示器３０２への制御信号の周波数を第１の周波数とする（Ｓ８０３）。
Ｓ８０２で、ＣＰＵ６０２が、画像品質劣化の許容度合いが所定値（閾値）以下ではないと判断すると（Ｓ８０２のＮＯ）、ＰＷＭ制御部３０９に制御周波数を第１の周波数より低い第２の周波数にするよう制御信号を出力する。ＣＰＵ６０２からの制御信号を入力すると、ＰＷＭ制御部３０９は、表示器３０２への制御信号の周波数を第２の周波数とする（Ｓ８０４）。
そして、ＰＷＭ制御部３０９が第１の周波数又は第２の周波数に制御した後、ＣＰＵ６０２は、表示制御が終了であるか、否かを判別する（Ｓ８０５）。Ｓ８０５の判別で、終了ではないとの判別の場合（Ｓ８０５のＮＯの場合）、再び制御がＳ８０１に戻る。
このように制御される端末装置６０１では、ＣＰＵ６０２が、端末装置６０１の使用状態が特定の使用状態であると判断した場合、表示器３０２への制御周波数を第１の周波数に制御している。このため、表示器３０２での残像を抑え、ユーザにとって見やすい表示とすることができる。
また、第１実施形態や第２実施形態の端末装置と同様に、この周波数制御は、前述の第２の周波数を、標準の制御周波数に設定し、前述の第１周波数を、標準の制御信号の周波数より高い周波数に設定している。このため、この端末装置６０１では、例えば、動きの激しいゲームを実行している等のように画像品質劣化の許容度合いが所定値以下の場合だけ、特別に高い周波数に制御する。このように、端末装置６０１の使用状態が、特定の使用状態と判別した場合のみ、前述の標準の制御周波数（第２の周波数）より高い第１の周波数で制御する。この表示制御により、必要な場合だけ制御周波数が高い第１の周波数で制御するので、制御特性や発熱特性、また電力の消費特性等の悪化を極力抑えた制御とすることができる。
また、この第３実施形態の端末装置６０１は、第２実施形態の端末装置３０１のように加速度センサを備えたものではない。このため、構成を簡素にすることができると共に、価格を安価にすることができる。
これら第１〜第３実施形態の端末装置では、表示器への表示信号のデューティ比を変えていないので、輝度を変更していない。しかし、制御周波数が高くなると、その画像表示のＯＦＦ時間が短くなるので、動きの早い動画の視聴時や、端末装置自体の揺れが比較的大きい場合等においても、ＯＦＦ時間に見える残像を認識しにくくすることができる。このため、残像を抑えた表示とすることができ、ユーザにとって見やすい表示とすることができる。
尚、詳述は省くが、この第３実施形態で説明した制御を、前述の第２実施形態の端末装置３０１に追加して、端末装置３０１でより多くの場合において表示制御できるようにしても構わない。
この場合、揺れが所定値以上のときだけでなく、使用されるアプリケーションプログラムの画像品質劣化の許容度合いが所定値より小さいときにも、端末装置３０１のＣＰＵ３０６は、端末装置３０１の状態が特定の使用状態と判断し、表示器３０２への制御周波数を第１の周波数に設定する。
また、第１〜第３実施形態を、第１の周波数と第２の周波数の２つの制御周波数で制御する例として説明した。しかし、制御周波数を３つ、或いはそれ以上に設定しても構わない。
制御周波数を３つとする場合は、端末装置の状態を３つの状態に判別できるようにすると良い。
例えば、加速度センサを判別手段として使用し、３つの制御周波数（第１の周波数、第２の周波数、第３の周波数）で制御する場合は、その閾値（所定値）を２つ設定し、端末装置の状態を、３つの状態に判別できるようにする。
また、アプリケーションプログラムの画像品質劣化の許容度合いを判別手段で検出し、３つの制御周波数で制御する技術を適用する場合は、そのアプリケーションプログラムの許容度合いの閾値（所定値）を２つ設定し、端末装置の状態を、３つの状態に判別できるようにする。
以上、実施形態を参照して本願発明を説明したが、本願発明は上記実施形態に限定されものではない。本願発明の構成や詳細には、本願発明のスコープ内で当業者が理解し得る様々な変更をすることができる
この出願は、２００８年１月２２日に出願された日本出願特願２００８−０１１１１７を基礎とする優先権を主張し、その開示の全てをここに取り込む。
【図１】
2009093508.tif 000003
【図２】
2009093508.tif 000004
【図３】
2009093508.tif 000005
【図４】
2009093508.tif 000006
【図５】
2009093508.tif 000007
【図６】
2009093508.tif 000008
【図７】
2009093508.tif 000009
【図８】
2009093508.tif 000010
【国際調査報告】
2009093508.tif 000011
2009093508.tif 000012
2009093508.tif 000013
2009093508.tif 000014
2009093508.tif 000015
2009093508.tif 000016
2009093508.tif 000017
2009093508.tif 000018